(57)【要約】【課題】生ごみなどの有機物の効率的な分解を実現することができる有機物分解用菌床を実現する。【解決手段】有機物を分解消滅させる分解菌が吸着し繁殖する菌床１１を、円筒状に形成する。菌床１１のサイズは、分解対象である有機物によって、外径φが約８〜１５ｍｍ、長さＬが８〜１５ｍｍは、肉厚が１〜３ｍｍを基準にして設定する。菌床１１の主材料としてプラスチックを用い、これに炭素を混合して発泡加工するとともに、雲母型粘土質鉱物１２を粉体状の形態で混入する。プラスチック、炭素および雲母型粘土質鉱物１２の混合割合を、それらの総重量に対して、プラスチックが８８重量％、炭素が１０重量％、雲母型粘土質鉱物１２が２重量％とする。【選択図】        図１
2004298824.tif 000002
【特許請求の範囲】
【請求項１】
発泡加工したプラスチックを主材料としてなり、これに炭素を混合するとともに雲母型粘土質鉱物を混入したものであって、前記プラスチック、前記炭素および前記雲母型粘土質鉱物の割合が、それらの総重量に対してそれぞれ７５〜８９重量％、１０〜２０重量％および１〜５重量％の範囲にあることを特徴とする有機物分解用菌床。
【発明の詳細な説明】
【０００１】
【発明の属する技術分野】
本発明は有機物分解用菌床に関する。具体的には、分解菌が定着し易く、かつ繁殖する菌床であって、生ごみなどの有機物を分解菌により分解消滅させる処理装置に用いるのに適したものであり、分解菌の活動を活発化させることにより、有機物の効率的な分解を実現することができる有機物分解用菌床を提供せんとするものである。
【０００２】
【従来の技術】
有機物である生ごみを例にとると、レストランや各種の食堂あるいは家庭からは大量の生ごみが排出される。そこで、この大量に排出される生ごみを処理するために、分解菌による有機物の分解作用に着目して、分解菌を含んだ菌床と生ごみとを撹拌混合し、生ごみに接触した分解菌の分解作用により生ごみを分解消滅させる生ごみ処理装置が、従来より用いられている。
【０００３】
このような生ごみ処理装置に使用される菌床としては、従来より木片やセラミック粒が使用されている。また、近時では、炭素繊維を球体などに成形したものも、菌床として提案されている（特開２０００−２１０６４５号公報参照）。
【０００４】
これらの菌床は、一般に、図２に示すように、生ごみを収容する容器２２内に、回転軸２５と嵌合した中空軸２４に取り付けられた複数の回転羽根２３ａ〜ｄを有する生ごみ処理装置２１において用いられる。すなわち、分解菌を含んだ菌床と生ごみとが、回転する各回転羽根２３ａ〜ｄの回転力により、容器２２内において撹拌混合され、その結果、分解菌の分解作用により生ごみが分解消滅することになる。
【０００５】
【発明が解決しようとする課題】
しかしながら、菌床として木片を使用した場合は、その材質が軟質なため、菌床どうしの接触あるいは生ごみに混入したフォーク、スプーンなどの硬質の異物との接触により、磨耗破砕し細小化し易い。しかも、木片そのものも有機物であることから、分解菌により徐々に分解されて細小化する。菌床が細小化すれば、菌床としての機能が低下あるいは消滅することとなる。本願発明者が行った実験によれば、木片が菌床として使用に耐え得る期間は、概ね１月である。
【０００６】
また、菌床としてセラミック粒を使用した場合は、その比重が大きいことから、セラミック粒どうしの接触により、木片を使用した場合と同様にセラミック粒が磨耗する。セラミック粒が磨耗して細小化すれば、菌床としての機能が低下あるいは消滅するだけでなく、磨耗により生じたセラミックの微粉末が、水分を吸収し粘土質となって容器２２の内壁にこびり付いてしまう。容器２２の内壁にセラミックが付着すれば、これを定期的に除去する作業が必要となり、装置のメンテナンス上の負担を大きくする。
【０００７】
他方、菌床として球体などに成形した炭素繊維を用いると、生ごみ処理装置２１の容器２２内で菌床と生ごみとを撹拌混合するために回転する各回転羽根２３ａ〜ｄにより、炭素繊維が細かく切断されて細小化し、菌床としての機能が低下あるいは消滅する。のみならず、細かく切断されて小片なった炭素繊維が飛散し、装置の操作者の口腔や鼻孔を介して体内に侵入する危険性もある。以上のような解決すべき課題が、従来より使用されている菌床にはあった。
【０００８】
【課題を解決するための手段】
そこで、上記課題を解決するために、本発明はなされたものである。そのために、本発明では、発泡加工したプラスチックを菌床の主材料として用い、これに炭素を混合するとともに雲母型粘土質鉱物を混入したものであって、プラスチック、炭素および雲母型粘土質鉱物の割合が、それらの総重量に対してそれぞれ７５〜８９重量％、１０〜２０重量％および１〜５重量％の範囲とするようにした。
【０００９】
【発明の実施の形態】
本発明の実施の形態を図１に示し説明する。ここで、図１は、本実施の形態における有機物分解用菌床の構成を示す斜視図である。
【００１０】
図１において、菌床１１は円筒状の形状をしており、その外周面は樹皮状の不規則な凹凸形状に形成されている。ここにおける菌床１１のサイズは、本実施の形態では、外径φが１２ｍｍ、長さＬが１２ｍｍであり、肉厚は１ｍｍである。しかし、菌床１１のサイズは、これに限定されるものではなく、分解対象である有機物によって、とくに、外径φは約８〜１５ｍｍ、長さＬは８〜１５ｍｍは、肉厚は１〜３ｍｍを基準にして設定する。
【００１１】
この菌床１１の素材には、プラスチックが主材料として用いられ、これに炭素が混合されて、発泡加工が施されている。また、雲母型粘土質鉱物１２が、粉体状の形態で混入されて、図示するように、母材の黒色に対して白色である雲母型粘土質鉱物１２は、散点状の外観を呈している。プラスチック、炭素および雲母型粘土質鉱物１２の混合割合は、本実施の形態では、それらの総重量に対して、プラスチックが８８重量％、炭素が１０重量％、雲母型粘土質鉱物１２が２重量％である。
【００１２】
ここで、雲母型粘土質鉱物１２としては、イライトが好適な例であり、その構造式は、つぎに示す通りである。
Ｋ０．５８（Ａｌ１．３８  Ｆｅ３＋０．３７  Ｆｅ２＋０．０４  Ｍｇ０．３４）（Ｓｉ３．４１    Ａｌ０．５９）Ｏ１０（ＯＨ）２・ｎＨ２Ｏ）
【００１３】
このような雲母型粘土質鉱物１２には、様々な特性がある。まず、物理的特性として、第１に、雲母型粘土質鉱物１２は三層構造を有し、水分を吸収すると層間が拡張されてマイナス電荷を持つようになり、マイナス・イオン効果を奏する。第２に、炭素と同じく吸着能力を有する。第３に、常温で９０％以上の遠赤外線を放出する。
【００１４】
また、化学的特性として、第１に、天然鉱物である雲母型粘土質鉱物１２は、自発的な化学反応能力がなく、水・酸・アルカリなどに対して溶けない性質を有している。第２に、雲母型粘土質鉱物１２は、ｐＨ（水素イオン指数）を７（中性）に維持する性質を有し、例えば水の中に適量の雲母型粘土質鉱物１２を入れると、水のｐＨは  ６．５以下にはならない。
【００１５】
このような特性を有する雲母型粘土質鉱物１２が混入された菌床１１に分解菌を含ませて、有機物の分解処理装置に使用した場合、つぎのような効果が得られる。すなわち、吸着能力をそれぞれ有する炭素および雲母型粘土質鉱物１２が、菌床１１に混合・混入されていることから、菌床１１における不規則な凹凸形状の表面部に分解菌が吸着されて、分解菌が定着し繁殖する菌床１１としての機能が充分に発揮され、したがって有機物の分解作用が促進される。
【００１６】
また、菌床１１に混入された雲母型粘土質鉱物１２は、上述のように遠赤外線を放出するので、分解菌が活動し易い温度条件（摂氏４０度以上）を満たすことができ、有機物の効率的な分解消滅に寄与する。
【００１７】
さらに、菌床１１の素材としてプラスチックを用いている結果、木片やセラミックを使用した菌床よりは耐磨耗性に優れている。菌床１１が磨耗し細小化して、菌床としての機能が低下あるいは消滅することがない。装置のメンテナンス上の負担も軽減される。したがって、装置のランニング・コストを低減することができる。
【００１８】
しかも、弾力性を有しながらも、生ごみなどを破砕する破砕力あるいは生ごみなどの表面部を創傷する創傷力を有する。生ごみなどが細かく破砕されれば、分解菌が接触する表面積が増大し、また、生ごみなどの表面部が創傷されれば、分解菌は創傷部から内部に進入する。その結果、分解菌による生ごみなどの分解消滅が促進されるので、装置の処理能力を高めることが可能となる。
【００１９】
これに対して、木片や炭素繊維は軟質であるため、表面部が固い繊維質の食物や肉類などへの創傷力はなく、分解菌が創傷部から内部に進入することがない。したがって、分解消滅に要する時間が長くなってしまう
【００２０】
また、菌床として炭素繊維を使用した場合は、細かく切断されて小片となった炭素繊維が飛散して、装置の操作者の口腔や鼻孔から体内に侵入する危険性があるが、本発明による菌床１１には、このような危険性はまったくない。
【００２１】
以上のような効果をもたらす菌床１１に分解菌を含ませて、生ごみ処理装置により生ごみを分解消滅させる実験を行なったところによると、菌床として木片を使用した場合に比して、本発明による菌床１１は、少なくとも１０倍以上の分解処理能力を有するとの結果を得ている。
【００２２】
以上においては、菌床１１の形状として円筒状のものを例に挙げて説明した。しかし、本発明は、これに限定されるものではなく、例えば角筒状のもの、さらには立方体状のものなどであってもよい。ただし、筒状のものの方が、分解菌の活動にとって必要な酸素や水（分解菌は適度な水分を必要とする）が、有機物を収容した容器内で流通し易い点で望ましい。
【００２３】
また、菌床１１を形成するプラスチック、炭素および雲母型粘土質鉱物１２の混合割合が、それぞれ８８重量％、１０重量％、２重量％である場合について説明した。しかし、本発明は、これに限定されるものではない。混合割合が、プラスチックが７５〜８９重量％、炭素が１０〜２０重量％、雲母型粘土質鉱物が１〜５％重量の範囲である場合に、本発明は適用されるものである。
【００２４】
【発明の効果】
以上の説明から明らかなように、本発明では、プラスチックを主材料として、これに炭素および雲母型粘土質鉱物を混合させて、有機物を分解消滅させる分解菌が多く吸着し繁殖する菌床を形成するようにした結果、分解菌による生ごみの分解作用が促進される。その結果、装置の作動時間を短縮することができ、装置のランニング・コストの低減化を実現することができる。
【００２５】
また、菌床として木片やセラミック粒あるいは炭素繊維を用いる場合と比較して、菌床としての耐用性が著しく向上し、この面からも装置のランニング・コストの低減化を図ることが可能となる。
【００２６】
さらに、菌床としてセラミック粒を用いた場合のように、その磨耗により生じた微粉末が水分を帯びて粘土質となり、それが容器の内壁にこびり付くということもなく、装置のメンテナンス上も優れて有利である。
【００２７】
しかも、菌床として炭素繊維を使用した場合のように、細かく切断され小片となって飛散する炭素繊維が、装置の操作者の口腔や鼻孔を介して体内に侵入するといった危険性もない。
【００２８】
そのうえ、菌床１１に混合・混入された炭素および雲母型粘土質鉱物１１は、臭気を吸着する吸着能力を有することから、処理される生ごみなどから臭気が放散されることは殆どない。したがって、本発明が有機物の分解処理にもたらす効果は、実用上極めて大きい。
【図面の簡単な説明】
【図１】本発明の実施の形態を示す斜視図である。
【図２】従来より用いられている生ごみ処理装置の構成を示す、一部を切欠いた斜視図である。
【符号の説明】
１１  菌床
１２  雲母型粘土質鉱物
２１  生ごみ処理装置
２２  容器
２３ａ〜２３ｄ  回転羽根
２４  中空軸
２５  回転軸
【図１】
2004298824.tif 000003
【図２】
2004298824.tif 000004